(57)【要約】    【課題】  絵葉書、パンフレット等に表示された図画・写真に関連する情報を凝縮した状態で附属させることのできる、絵葉書、パンフレット等のシート状体および冊子体を提供すること。    【解決手段】  シート状体１は、それに文字情報を符号化し二次元に展開した二次元コード３が設けられていることを主たる構成とする。文字情報は、シート状体１上に表示された一または複数の図画、写真、もしくはその他の非文字情報自体５についての文字情報、または図画等に関連する観光・行事等の文字情報とすることができる。【選択図】  図１
2006027212.tif 000002
【特許請求の範囲】
【請求項１】
文字情報を符号化し二次元に展開した二次元コードが設けられていることを特徴とする、シート状体。
【請求項２】
前記文字情報は、シート状体上に表示された一または複数の図画、写真、もしくはその他の非文字情報自体についての文字情報、または該図画等に関連する観光・行事等の文字情報であることを特徴とする、請求項１に記載のシート状体。
【請求項３】
前記シート状体が絵葉書であることを特徴とする、請求項１に記載のシート状体。
【請求項４】
前記文字情報は、シート状体上に表示された図画もしくは写真自体についての情報、または該図画等に関連する観光・行事等の情報であることを特徴とする、請求項３に記載のシート状体。
【請求項５】
請求項１または２に記載のシート状体からなる冊子体。
【発明の詳細な説明】
【技術分野】
【０００１】
本発明はシート状体および冊子体に係り、特に、絵葉書、パンフレット等に表示された図画・写真に関連する情報を凝縮した状態で附属させることのできる、絵葉書、パンフレット等のシート状体および冊子体に関する。
【背景技術】
【０００２】
情報を符号化して二次元方向に展開させた二次元コードは、表示面積増大や読み取り操作煩雑化を招くことなく、バーコード以上の符号化情報量を増大させる技術として、現在広く用いられている。たとえば、ＱＲコード、ＰＤＦ４１７、ＭａｘｉＣｏｄｅなど数種類の方式ものが現在までに創案され規格化されており、これらは、生産・工程・出荷・販売管理など、製品・商品の生産から販売に至る、企業活動の各過程における業務上の管理に広く用いられている。その他にも、イベント等での入場者管理、企業における資産管理等にも用いられている。
【０００３】
また、二次元コードを葉書等に利用した例としては、カタログ類のダイレクトメールとしての送付を不要とするために、カタログが掲載されたホームページのＵＲＬを二次元コードに符号化し、これを切除保存できるように領域として設けた葉書（特許文献１）、来場者リスト作成便宜のために 招待者番号、氏名等の個人データが記録された２次元コードが所定の領域にプリントされている２次元コード付招待状（特許文献２）等がある。
【０００４】
【特許文献１】特開２００１−１８０１５４「葉書及びこの葉書を用いた販促システム」。要約、特許請求の範囲、図１。
【特許文献２】特開平９−２７７７５５「２次元コード付招待状」。要約、特許請求の範囲、図１。
【発明の開示】
【発明が解決しようとする課題】
【０００５】
上述したように二次元コードは、製造販売上の管理、イベント等での入場者管理、企業における資産管理等に用いられており、読み取られた情報は、製品・サービス提供側の管理用情報として機能する。特許文献２に開示された提案も、これに該当するものである。また特許文献１の提案は、いわば自社あるいは販売促進したい商品等に係るカタログの掲載されたホームページへのアクセス用情報をコード化して、ハードコピーの状態で保存できるようにしたものである。
【０００６】
しかしながら、購入した絵葉書やしおり、あるいは配布されたパンフレットといった、表示面積の限定されたシート状体もしくは冊子体に、購入者にとって興味のある観光等の情報が文字情報として二次元コード化されたものは、従来存在しない。このようなものがあれば、利用者としても便宜であり、また二次元コードの用途を拡大することとなり、産業の発達上有益である。
【０００７】
本発明が解決しようとする課題は、上記従来技術の状況を踏まえ、絵葉書、パンフレット等に表示された図画・写真に関連する情報を凝縮した状態で附属させることのできる、絵葉書、パンフレット等のシート状体および冊子体を提供することである。
【課題を解決するための手段】
【０００８】
本願発明者は上記課題について検討した結果、本発明に至った。すなわち、上記課題を解決するための手段として本願で特許請求される、もしくは少なくとも開示される発明は、以下のとおりである。
【０００９】
（１）  文字情報を符号化し二次元に展開した二次元コードが設けられていることを特徴とする、シート状体。
（２）  前記文字情報は、シート状体上に表示された一または複数の図画、写真、もしくはその他の非文字情報自体についての文字情報、または該図画等に関連する観光・行事等の文字情報であることを特徴とする、（１）に記載のシート状体。
（３）  前記シート状体が絵葉書であることを特徴とする、（１）に記載のシート状体。
（４）  前記文字情報は、シート状体上に表示された図画もしくは写真自体についての情報、または該図画等に関連する観光・行事等の情報であることを特徴とする、（３）に記載のシート状体。
（５）  （１）または（２）に記載のシート状体からなる冊子体。
【発明の効果】
【００１０】
本発明のシート状体および冊子体は上述のように構成されるため、これによれば、絵葉書、パンフレット等に表示された図画・写真に関連する情報を凝縮した状態で附属させることができる。
【００１１】
かかる情報としては、たとえば絵葉書やしおりの場合は、表示された絵や写真の題名・作者とその略歴・制作時期・解説など、特にこれらが観光地を示すものの場合は、加えて年間観光案内・アクセス方法などが該当する。また、たとえばパンフレットの場合は、表示された写真や絵についての解説・店舗等営業案内・アクセス方法・観光案内などが該当する。
【００１２】
本発明のシート状体としては、たとえば絵葉書、しおりが該当し、また冊子体としてはパンフレット、リーフレットが該当するが、本発明がこれらに限定されるものではなく、印刷が施されるもしくは印刷を施すことのできる紙、その他のシートからなるものであれば、すべて本発明のシート状体または冊子体に該当する。
【発明を実施するための最良の形態】
【００１３】
以下、本発明を図面により詳細に説明する。
図１は、本発明のシート状体の基本構成を示す説明図である。図示するように本シート状体１は、それに文字情報を符号化し二次元に展開した二次元コード３が設けられていることを主たる構成とする（上記（１）の発明）。そして、該文字情報は、シート状体１上に表示された一または複数の図画、写真、もしくはその他の非文字情報自体５についての文字情報、または該図画等に関連する観光・行事等の文字情報とすることができる（上記（２）の発明）。
【００１４】
かかる構成により本シート状体１は、これに設けられた該二次元コード３に対して読み取り装置を用いることによって、符号化された文字情報が読み取られる。該文字情報としては、該シート状体１上に表示された一または複数の図画、写真、もしくはその他の非文字情報自体５についてのもの、または該図画等に関連する観光・行事等の文字情報を符号化することができる。したがって該シート状体１を使用する者は、これらシート状体１に表示された非文字情報に関する情報等を、文字情報として取得することができる。
【００１５】
本発明で用いる二次元コードとしては、従来提供されている、または規格化されているものを適宜用いることができるが、特に日本語文字情報を符号化する場合は、たとえばＱＲコード（デンソーウェーブ）を好適に用いることができる。
【００１６】
図２は、本発明シート状体の別の構成例を示す説明図である。図示するように本シート状体１２は、絵葉書とすることができる（上記（３）の発明）。そして、該シート状体１２に設けられる二次元コード３２において符号化される文字情報は、該シート状体１２上に表示された図画もしくは写真５２自体についての情報、または該図画等に関連する観光・行事等の情報とすることができる（上記（４）の発明）。
【００１７】
かかる構成により、絵葉書である本シート状体１２は、これに設けられた該二次元コード３２に対して読み取り装置を用いることによって、符号化された文字情報が読み取られる。該文字情報としては、該シート状体１２上に表示された一または複数の図画もしくは写真５２自体についてのもの、または該図画等５２に関連する観光・行事等の文字情報を符号化することができる。したがって該シート状体１２を使用する者は、これらシート状体１２に表示された非文字情報に関する情報等を、文字情報として取得することができる。
【００１８】
本発明シート状体としては、図２に示した絵葉書の他にも、しおり、チラシ、リーフレット、便せん、封筒、うちわ、その他種々の紙製もしくはその他の材料によるシート状物を用いることができる。
【００１９】
図３は、本発明の冊子体の基本構成を示す説明図である。図示するように本冊子体８は、上述したいずれかの構成を有するシート状体１３が、複数集合してなる構成をとる（上記（５）の発明）。そして、各シート状体１３ごとに設けられる前記二次元コード３３に、該当シート状体１３上の一または複数の図画、写真、もしくはその他の非文字情報５３が符号化されて展開される。
【００２０】
かかる構成により、本冊子体８は、これに設けられた該二次元コード３３に対して読み取り装置を用いることによって、符号化された文字情報が読み取られる。該文字情報としては、該冊子体８上に表示された一または複数の図画もしくは写真５３自体についてのもの、または該図画等５３に関連する観光・行事等の文字情報を符号化することができる。したがって該冊子体８を使用する者は、これに表示された非文字情報に関する情報等を、文字情報として取得することができる。
【００２１】
本発明冊子体としては、これを、パンフレット、小冊子、書籍等とすることができる。なお、該冊子体８は、これを構成するシートがすべて本発明のシート状体１３である必要はなく、その少なくとも一部が該シート状体１３であればよい。
【００２２】
このように本発明は、シート状体・冊子体にＱＲコード等の二次元コードを設けることによって、観光情報等、シート状体等の購入者その他利用者に対し有益な情報を省スペースにて提供できるものである。これを二次元コードの活用面でさらに展開すると、次のようなことも可能である。つまり、利用者向けの観光・商品紹介・その他の情報をＱＲコードなどにより二次元コード化し、これを任意の商品に対して貼付可能なようにシール化することである。このようなシール化された二次元コードを、たとえば各種土産品・特産品等に貼付することにより、土産品等自体の付加価値を高めることができる。シールは、これを複数配列して、個別に分離して使用できるようにした、二次元コード配列シートの形態としてもよい。
【実施例】
【００２３】
＜実施例１＞
図４は、本発明シート状体を絵葉書に応用した実施例を示し、その一方面の構成を示す図である。
【００２４】
＜実施例２＞
図５は、本発明シート状体をしおりに応用した実施例を示し、その一方面の構成を示す図である。
いずれの実施例も、表示された図画に関する情報としては、画家紹介、作品紹介、描かれた風景の説明や関連する観光情報等とすることができ、同一面上に設けられた二次元コード（ここではＱＲコード）に対して読み取り装置を用いることにより、該二次元コードに符号化された情報を読み取ることができる。二次元コードはこれら実施例のように図画等を表示するのと同じ面に設けても、あるいは他方の面に設けてもいずれでもよい。
【００２５】
＜実施例３＞
図６は、各種土産品等に、本発明の二次元コードシールを貼付した例を示す説明図である。図中の各物品は、包装物（左、中）や紙製等容器（右）に収納された土産品例である。各パッケージの右下隅に貼付されているものが、シール化された二次元コードを示す。該二次元コードには、各土産品の説明や観光情報、地域情報等をコード化することができる。
【産業上の利用可能性】
【００２６】
本発明のシート状体および冊子体は上述のように構成されるため、絵葉書、パンフレット等に表示された図画・写真に関連する情報を凝縮した状態で附属させることができる。購入した絵葉書やしおり、あるいは配布されたパンフレットといった、表示面積の限定されたシート状体等に、購入者にとって興味のある観光等の情報が文字情報として二次元コード化されたものは従来存在しなかったため、本発明は利用者（絵葉書等購入者、受領者）にとっても便宜であり、また二次元コードの用途を拡大することとなり、産業の発達上有益である。また、観光関連産業においても利用価値が高い発明である。
【図面の簡単な説明】
【００２７】
【図１】本発明のシート状体の基本構成を示す説明図である。
【図２】本発明シート状体の別の構成例を示す説明図である。
【図３】本発明の冊子体の基本構成を示す説明図である。
【図４】本発明シート状体を絵葉書に応用した実施例を示し、その一方面の構成を示す図である。
【図５】本発明シート状体をしおりに応用した実施例を示し、その一方面の構成を示す図である。
【図６】各種土産品等に、本発明の二次元コードシールを貼付した例を示す説明図である。
【符号の説明】
【００２８】
１、１２、１３…シート状体
３、３２、３３…二次元コード
５、５２、５３…図画、写真、もしくはその他の非文字情報自体
８…冊子体
【図１】
2006027212.tif 000003
【図２】
2006027212.tif 000004
【図３】
2006027212.tif 000005
【図６】
2006027212.tif 000006
【図４】
2006027212.tif 000007
【図５】
2006027212.tif 000008